(57)【特許請求の範囲】
【請求項１】
回路基板と、
前記回路基板に接続されるパワー部品、及びフィルタ部品と、
前記回路基板と、前記パワー部品と、前記フィルタ部品とを収容する筐体と、
を備える電源装置であって、
前記筐体は、底面側に放熱用のフィンを備えた平坦面と、前記平坦面からフィン側に突出する突出部と、を備えるベースプレートを含み、
前記回路基板は、パワー部品の載置面とは逆側の面が前記平坦面と対向し、且つ、前記パワー部品が前記平坦面に対応した位置となるように、前記平坦面上に載置され、
前記パワー部品は、前記回路基板上に載置されて、前記回路基板及び平坦面を介した放熱が行われ、
前記フィルタ部品は、前記回路基板における前記パワー部品の載置面よりも前記突出部側に全体が配置された状態で、前記突出部に収容される電源装置。
【請求項２】
前記突出部にリード部品がさらに収容される請求項１に記載の電源装置。
【請求項３】
前記フィンの少なくとも一部は、前記突出部と干渉しない方向に延在している請求項１又は２に記載の電源装置。
【発明の詳細な説明】
【技術分野】
【０００１】
本発明は、電源装置に関する。
【背景技術】
【０００２】
基板上に複数の電子部品が搭載された電源装置では、電子部品から生じるノイズが問題となる場合がある。そのため、ノイズの影響を低減させるための構成が種々検討されている。また、電子部品には高温に発熱するものが含まれるため、電源装置では、電子部品を冷却するための放熱手段の配置についても検討が行われている（例えば、特許文献１参照）。
【先行技術文献】
【特許文献】
【０００３】
【特許文献１】特開２０００−２７８９３６号公報
【発明の概要】
【発明が解決しようとする課題】
【０００４】
電源装置は近年小型化の要求が高まっているが、搭載される電子部品からの放熱及びノイズの低減と、装置の小型化とを両立させることは容易ではない。
【０００５】
本発明は上記を鑑みてなされたものであり、搭載される電子部品からの放熱、装置内で発生するノイズの影響の低減、及び、装置の小型化を実現可能な電源装置の提供を目的とする。
【課題を解決するための手段】
【０００６】
上記目的を達成するため、本発明に係る電源装置は、回路基板と、前記回路基板に接続されるパワー部品、及びフィルタ部品と、前記回路基板と、前記パワー部品と、前記フィルタ部品とを収容する筐体と、を備える電源装置であって、前記筐体は、底面側に放熱用のフィンを備えた平坦面と、前記平坦面からフィン側に突出する突出部と、を備えるベースプレートを含み、前記パワー部品及び前記回路基板は前記平坦面上に載置されると共に、前記フィルタ部品は前記突出部に収容されることを特徴とする。
【０００７】
上記の電源装置のように、ノイズ発生源となる可能性があり回路基板に搭載されるパワー部品は、回路基板と共に筐体内のベースプレートにおける平坦面に載置され、フィルタ部品は、平坦面からフィン側に突出する突出部に収容される。これにより、回路基板及びパワー部品は、平坦面の裏面側に設けられるフィンによって冷却されるため、電子部品からの放熱効果は維持される。また、電源装置では、フィルタ部品が突出部に収容される構成とすることで、パワー部品からのノイズがフィルタ部品に到達することを防ぐことができ、装置内で発生するノイズの影響を低減させることができる。さらに、フィルタ部品が受けるノイズを低減するためにさらなるシールド等を設ける必要がなく、更に部品サイズが大型となりがちなフィルタ部品を突出部に収容する構成とすることで、装置の小型化を実現可能となる。
【０００８】
ここで、前記突出部にリード部品がさらに収容される態様とすることができる。
【０００９】
リード部品もベースプレートの突出部に収容する構成とすることで、ノイズの影響を更に低減させることが可能となる。
【００１０】
また、前記フィンの少なくとも一部は、前記突出部と干渉しない方向に延在している態様とすることができる。
【００１１】
フィンが突出部と干渉しない方向に延在している場合、フィンに沿った空気の移動が突出部に妨げられることを防ぐことができるため、フィンによる電源装置の平坦面の裏面側の冷却効果が高められる。
【発明の効果】
【００１２】
本発明によれば、搭載される電子部品からの放熱、電源装置内で発生するノイズの影響の低減、及び、装置の小型化を実現可能な電源装置が提供される。
【図面の簡単な説明】
【００１３】
【図１】本発明の実施形態に係る電源装置の機能構成を説明するブロック図である。
【図２】実施形態に係る電源装置の構成を配置する概略断面図である。
【図３】実施形態に係る電源装置の底面図である。
【図４】パワー部品とフィルタ部品（入力フィルタ）との間に電磁シールドを設けない場合に入力フィルタで検出されるノイズの測定結果である。
【図５】パワー部品とフィルタ部品（入力フィルタ）との間に電磁シールドを設けた場合に入力フィルタで検出されるノイズの測定結果である。
【図６】電源装置の第１変形例を説明する底面図である。
【図７】電源装置の第２変形例を説明する底面図である。
【図８】電源装置の第３変形例を説明する底面図である。
【発明を実施するための形態】
【００１４】
以下、添付図面を参照して、本発明を実施するための形態を詳細に説明する。なお、図面の説明においては同一要素には同一符号を付し、重複する説明を省略する。
【００１５】
図１は、本発明の実施形態に係る電源装置の機能構成を説明するブロック図である。本実施形態で説明する電源装置１は、例えば、入力端子に接続された高圧バッテリから入力された直流電圧を電圧変換（降圧）し、所望の直流出力電圧を生成するスイッチング電源装置等である。また、図２は、電源装置１における各構成の配置を説明する概略断面図であり、図３は、電源装置１の底面図である。
【００１６】
図１に示すように、電源装置１は、入力端子２と出力端子３との間に、入力フィルタ４、スイッチング回路５、高周波トランス６、平滑フィルタ７、及びＥＭＣフィルタ８を含んで構成される。入力フィルタ４、スイッチング回路５、高周波トランス６、平滑フィルタ７、及びＥＭＣフィルタ８は、電子部品と回路基板との組み合わせによって構成されている。例えば、入力フィルタ４は、チョークコイル等を含んで構成される。スイッチング回路５は、トランジスタ等のスイッチ素子を含んで構成される。高周波トランス６は、トランスコアとインダクタ等を含んで構成される。平滑フィルタ７は、整流回路素子、チョークコイル又は電解コンデンサ等を含んで構成される。また、ＥＭＣフィルタ８は、ノイズフィルタ用のコンデンサ等を含んで構成される。また、入力フィルタ４、スイッチング回路５、高周波トランス６、平滑フィルタ７、及びＥＭＣフィルタ８の間は、主回路基板（図２の主回路基板２０）に形成された回路パターン又はバスバー等の導電部品等によって電気的に接続されている。これらが動作することにより、電源装置１としての所望の機能が発揮される。
【００１７】
電源装置１を構成する各機能部のうち、入力フィルタ４、スイッチング回路５、高周波トランス６、平滑フィルタ７、及びＥＭＣフィルタ８は、筐体１０に収容される。そして、入力端子２及び出力端子３が筐体１０の内外を接続すると共に、電源装置１と外部装置との接続を行う。
【００１８】
電源装置１を構成する各機能部に含まれる電子部品のうち、スイッチング回路５、高周波トランス６及び平滑フィルタ７に含まれる電子部品には、ノイズ発生源となり得る電子部品が含まれている。電源装置１においてスイッチング動作を行うと、電子部品内のスイッチ素子や整流回路素子等からスイッチングノイズが発生する場合がある。このように、スイッチングノイズを発生する可能性のある電子部品がノイズ発生源となり得る電子部品である。本実施形態では、このような電子部品をパワー部品という。
【００１９】
一方、電源装置１においてスイッチングノイズが発生した場合に影響を受けやすい電子部品も電源装置１に含まれる。すなわち、電源装置１を構成する各機能部に含まれる電子部品のうち、入力フィルタ４及びＥＭＣフィルタ８に含まれる電子部品は、電源装置１においてスイッチングノイズを受けることによる機能低下を受けやすい。元来、入力フィルタ４及びＥＭＣフィルタ８は、入力端子２又は出力端子３の近辺に設けられて、外部からの又は外部への配線上を伝わるノイズを抑制する機能を有するが、内部で発生したスイッチングノイズを受けると、本来のノイズ抑制機能を十分に果たすことができない。そこで、本実施形態に係る電源装置１では、ノイズ発生源となり得る電子部品とノイズの影響を受ける電子部品との配置を変更することで、電源装置１におけるノイズの低減を実現する。
【００２０】
図２に示すように、筐体１０は、電源装置１の構成部材を収容する金属製ケースの一部を構成する。筐体１０は、底部を形成するベースプレート１１とベースプレート１１を取り囲む側壁１２とを含んで構成される。電源装置１では、筐体１０の内部に上記の主回路基板２０（回路基板）及び電子部品を収容した後にカバー１３で覆われる。
【００２１】
筐体１０はアルミニウム等の金属からなり、平面視で略矩形状である。ベースプレート１１の平坦面１１ａの裏面側には、放熱用のフィン１４が取り付けられる。さらに、ベースプレート１１における平坦面１１ａと異なる領域には、底面のフィン１４側へ突出することで筐体１０の内部に空間が形成された突出部１５が形成される。突出部１５は底面部１５ａと底面部１５ａの周囲を覆う側壁部１５ｂとを含んで構成される。筐体１０の側壁１２と接続する側の側壁部１５ｂは、側壁１２と連続した面を形成している。また、突出部１５の底面部１５ａは、フィン１４の先端と同様の高さ位置とされる（図２参照）。これにより、突出部１５内の空間体積を十分に確保することができると共に、電源装置１全体としての大型化を避けることができる。この点については後述する。
【００２２】
また、筐体１０の側壁１２には、筐体１０の内外を連通する入力端子２及び出力端子３が取り付けられる。入力端子２及び出力端子３は、平面視の略矩形状の筐体１０における側壁１２のうち、対向して設けられる短辺側の２つの側壁１２にそれぞれ設けられる。これにより、筐体１０の内部において、対向して設けられた短辺側の側壁１２の一方側の入力端子２から他方側の出力端子３へ電力の移動経路が形成される。
【００２３】
図３に示すように、電源装置１における放熱用のフィン１４は、延在方向が筐体１０の側壁１２のうち短辺側の側壁と平行となるように設けられる。電源装置１では、外部の送風器等の冷却手段によってフィン１４に沿って空気が移動する。これにより、フィン１４に沿って移動する空気が冷媒としての機能を果たし、ベースプレート１１における平坦面１１ａの裏面側が冷却される。これにより、ベースプレート１１の表面側に固定された電源装置１の各電子部品において発生する熱がベースプレート１１に伝熱し、ベースプレート１１の平坦面１１ａの裏面側から外部に放熱される。このように、ベースプレート１１は、放熱機能を有するヒートシンクとして機能する。
【００２４】
なお、図３に示すように、フィン１４が延びる向きは、突出部１５と干渉しない方向とされている。すなわち、フィン１４に沿って移動する空気が突出部１５によって移動を制限されないように、フィン１４の延在方向が設定されている。これにより、フィン１４によるベースプレート１１の裏面側の冷却効果が高められる。
【００２５】
図２に戻り、筐体１０の内部における電源装置１の各部材の配置について説明する。主回路基板２０は、筐体１０におけるベースプレート１１の平坦面１１ａ上に載置される。また、主回路基板２０に対して接続される電子部品のうち、ノイズ発生源となり得る電子部品、すなわち、パワー部品２２が主回路基板２０上であって且つベースプレート１１の平坦面１１ａ上となる位置に取り付けられる。パワー部品２２は、ノイズ発生源となり得る部品であるが、同時に高温となりやすい所謂発熱部品である場合が多い。したがって、主回路基板２０上且つベースプレート１１の平坦面１１ａ上となる位置にパワー部品２２を取り付けることで、パワー部品２２で発生した熱を主回路基板２０及びベースプレート１１の平坦面１１ａを介して放熱することができる。したがって、電源装置１全体としての放熱性が高められる。
【００２６】
また、筐体１０の突出部１５内には、パワー部品２２とは異なるフィルタ部品２４が収容される。フィルタ部品２４としては、本実施形態では、例えば入力フィルタ４が挙げられる。このような構成とした場合、入力端子２は、突出部１５内の入力フィルタ４とバスバー等を介して接続される。また、出力端子３は、主回路基板２０とバスバー等を介して接続される。
【００２７】
上記の電源装置１において、パワー部品２２には含まれない、すなわちノイズ発生源となる電子部品とは異なる部品を、フィルタ部品２４と同様に突出部１５に収容する構成とすることもできる。突出部１５に収容可能な部品としては、入力フィルタ４の後段であって、且つスイッチング回路５よりは前段に設けられるリード部品（ディスクリート部品）が挙げられる。リード部品（ディスクリート部品）がパワー部品２２からのノイズを受けた場合には、フィルタ部品２４に対して伝導ノイズを与える可能性がある。したがって、リード部品（ディスクリート部品）も、パワー部品２２からのノイズを回避することが好ましい部品であるため、突出部１５に収容することで、ノイズの低減を実現することができる。特に、リード部品（ディスクリート部品）が他の電子部品と比較して背高である場合には、突出部１５内に収容することが電源装置１の小型化に有用となることがある。
【００２８】
本実施形態に係る電源装置１を上記の構成とすることによる効果について説明する。上述のように電源装置１内において、スイッチング動作の際にパワー部品２２から発生するスイッチングノイズは、入力フィルタ４等のフィルタ部品２４に影響を及ぼす可能性がある。ここで、フィルタ部品２４に対して影響を及ぼす可能性があるスイッチングノイズは主に放射ノイズである。放射ノイズが相当量ある場合、フィルタ部品２４が電源装置１内から装置外へのノイズのフィルタリングを十分に行えない場合がある。
【００２９】
フィルタ部品２４に対するパワー部品２２による放射ノイズの影響を防ぐためには、フィルタ部品２４を電磁シールドで保護する方法を用いることが考えられるが、電源装置１の一部の部品を電磁シールドで覆うことは装置の大型化につながる可能性がある。したがって、装置の小型化が要求されている場合には、電源装置１の一部の部品を電磁シールドで覆うことは現実的な解決策とならないことが考えられる。
【００３０】
これに対して、本実施形態に係る電源装置１では、突出部１５内にフィルタ部品２４が収容されることで、フレームグランドとなる筐体１０の一部が電磁シールドの代替として機能する。図２の破線Ｌ１はパワー部品２２とフィルタ部品２４との端部同士を結んだ線であり、図２の２本の破線Ｌ１で挟まれた領域は、パワー部品２２からの放射ノイズが直接フィルタ部品２４に伝搬する際の進路と想定される領域である。ここで、図２の２本の破線Ｌ１で挟まれた領域の一部では、パワー部品２２とフィルタ部品２４との間に筐体１０のベースプレート１１の平坦面１１ａ及び突出部１５の側壁部１５ｂが設けられるため、パワー部品２２からの放射ノイズが直接フィルタ部品２４に伝搬することが防がれる。したがって、突出部１５内にフィルタ部品２４を収容することで、パワー部品２２からの放射ノイズを低減させることができ、フィルタ部品２４におけるノイズの影響を抑制することができる。
【００３１】
また、電源装置１では、高温となりがちな発熱部品でもあるパワー部品２２はベースプレート１１の平坦面１１ａ上に載置された主回路基板２０の上に設けることで、パワー部品２２からの放熱を十分に行うことができる。
【００３２】
また、突出部１５にフィルタ部品２４を収容することで、電子部品からの放熱、ノイズの低減を実現しながら、装置としての小型化を実現することができる。電源装置１において、フィルタ部品２４は、他の電子部品として背高である場合がある。したがって、フィルタ部品２４を筐体１０のベースプレート１１の平坦面１１ａ上（又はベースプレート１１の平坦面１１ａ上に載置された主回路基板２０上）に取り付けると、フィルタ部品２４の高さに応じて電源装置１の筐体１０における側壁１２の高さを設定する必要がある場合があった。すなわち、電源装置１の小型化（特に高さ方向の小型化：低背化）が、フィルタ部品２４の高さによって制限される場合があった。
【００３３】
これに対して、本実施形態に係る電源装置１では、フィルタ部品２４を突出部１５に収容することで、電源装置１におけるベースプレート１１の平坦面１１ａよりも上方にフィルタ部品２４を配置する必要がなくなるため、低背化を実現することが可能となる。ベースプレート１１の平坦面１１ａの裏面側にはフィン１４が設けられるが、従来は筐体１０の底面全面がベースプレート１１の平坦面１１ａとなっていたため、筐体１０の底面全面にフィン１４が設けられていた。フィン１４は、空気の通路を形成するための部材であるため、必要とされる冷却能力に応じた高さを必要とする。本実施形態の電源装置１では、筐体１０の底面全面に設けられていたフィン１４の一部を突出部１５とし、その内部にフィルタ部品２４を収容する構成とすることで、背高なフィルタ部品２４の上端部が他の電子部品よりも上方に突出することを防ぐことができる。また、突出部１５の底面部１５ａをフィン１４の下端と同じ高さ位置とすることで、突出部１５を設けることによる電源装置１の大型化を防ぐことができる。
【００３４】
また、電源装置１では、フィルタ部品２４を突出部１５に収容することで、フィルタ部品２４に対するノイズの低減が実現されている。フィルタ部品２４を主回路基板２０等と同じ高さに配置する場合、ノイズを低減するためには別途シールド等を設ける必要があるが、電源装置１ではシールド等を改めて設ける必要がないため、この点からも電源装置１の小型化を実現することができる。
【００３５】
なお、フィン１４を用いて冷却する必要性が高い発熱部品であるパワー部品２２はベースプレート１１の平坦面１１ａ上に載置されている主回路基板２０の上にあるため、フィン１４の一部を突出部１５に変更したことによって内部の電子部品の冷却が不十分になることは防がれている。また、突出部１５に収容されるフィルタ部品２４は、他の電子部品と比較して高温となりやすい発熱部品ではないため、フィン１４の裏面側に配置をしなくても電源装置１全体としての放熱性には影響を与えない。このように、本実施形態に係る電源装置１は、突出部１５を設けてこの内部にフィルタ部品２４を収容する構成とすることで、電子部品からの放熱、ノイズの低減を実現しながら、装置としての小型化を実現することが可能となる。
【００３６】
また、リード部品（ディスクリート部品）が他の電子部品と比較して背高である場合には、フィルタ部品２４と同じくリード部品についても突出部１５に収容する構成とすることで装置としての更なる小型化が可能となる。
【００３７】
ここで、フィルタ部品２４に電磁シールドを設けることによる効果について、図４及び図５を参照しながら説明する。図４及び図５は、パワー部品とフィルタ部品（入力フィルタ）との間に電磁シールド、つまりベースプレート１１や突出部１５を設けることによって入力フィルタで検出されるノイズの変化を測定したものであり、図４は、電磁シールドを設けない場合に入力フィルタで検出されるノイズを測定したものであり、図５は、パワー部品と入力フィルタとの間にシールドを設けた場合のノイズを測定したものである。図４及び図５では、水平方向のノイズ成分のみを測定した結果を示している。なお、ベースプレート１１及び突出部１５を構成する底面部１５ａ及び側壁部１５ｂには、厚さ０．６ｍｍのアルミ板を用いている。
【００３８】
図４と図５とを比較した結果、パワー部品２２とフィルタ部品２４との間にベースプレート１１や突出部１５の側壁部１５ｂを電磁シールドとして介在させることで、特に２００ＭＨｚよりも高い周波数領域のノイズが低減されることが確認された。このように、フィルタ部品２４を突出部１５内に収容することによって、フィルタ部品２４におけるノイズが低減されることが確認された。
【００３９】
なお、電源装置１では、フィルタ部品２４に含まれる入力フィルタ４に接続する入力端子２が、筐体１０の側壁１２であって且つ主回路基板２０よりも上方に取り付けられているが、入力端子２の取り付け位置を図２の入力端子２Ａの位置、すなわち、主回路基板２０よりも下方であって、突出部１５の側壁部１５ｂに取り付ける構成としてもよい。入力端子２が主回路基板２０よりも上方となる位置に取り付けられている場合、パワー部品２２からの放射ノイズがフィルタ部品２４（入力フィルタ４）と入力端子２との間を接続するバスバー等に到達しやすくなる。したがって、突出部１５を設けることでフィルタ部品２４に対する放射ノイズを低減させることはできるが、バスバー等を介してパワー部品２２からの放射ノイズの影響を受けてしまう可能性が考えられる。これに対して、入力端子の取り付け位置を突出部１５の側壁部１５ｂとすることで、入力端子２と入力フィルタ４との間を接続する接続部材に対するノイズを低減することもできる。
【００４０】
なお、上記実施形態では、電源装置１に設けた突出部１５の一例について説明したが、突出部１５の配置例は適宜変更することができる。以下、いくつかの変形例について説明するが、電源装置１の変形例は以下の例に限定されるものではない。
【００４１】
まず、図６は、第１変形例に係る電源装置１Ａの底面図である。電源装置１Ａは、突出部を２つ設けている点が電源装置１と相違する。
【００４２】
電源装置１では、入力端子２に接続する入力フィルタ４をフィルタ部品２４として収容する突出部１５が設けられていたが、出力端子３側のＥＭＣフィルタ８等については放射ノイズを考慮した構成を備えていなかった。これに対して、電源装置１Ａでは、出力端子３側にも突出部１６を設け、入力端子２側の入力フィルタ４等をフィルタ部品２４として突出部１５内に収容すると共に、出力端子３側のＥＭＣフィルタ８等をフィルタ部品２５として突出部１６内に収容する構成とする。出力端子３側のフィルタ部品２５としては、チョークコイルやコンデンサ等が挙げられる。特に、ＥＭＣフィルタ８に電解コンデンサ等のリード部品（ディスクリート部品）が含まれている場合、突出部１６内にこれらの部品を収容することが好ましい。突出部１５と突出部１６との間は、電源装置１と同様に裏面にフィン１４が取り付けられたベースプレート１１の平坦面１１ａが設けられる。これにより、主回路基板２０上のパワー部品２２からの放熱を好適に行うことができる。また、フィルタ部品２４，２５をそれぞれ突出部１５，１６に収容する構成とすることで、フィルタ部品２４，２５が受けるパワー部品２２からの放射ノイズを低減させることができる。また、電源装置１と同様に、装置全体の小型化を達成することも可能となる。
【００４３】
図７は、第２変形例に係る電源装置１Ｂの底面図である。電源装置１Ｂは、突出部を２つ設けている点は電源装置１Ａと同様であるが、突出部１５の形状が電源装置１Ａと相違する。
【００４４】
例えば、突出部１５に収容すべきフィルタ部品２４が小さい場合は、電源装置１Ｂのように突出部１５を小型化することができる。この場合、入力端子２の取り付け位置も突出部１５に対応して変更することで、フィルタ部品２４（入力フィルタ４）と入力端子2との間を接続する部材の長さを短くすることができる。突出部１５，１６は、上述のように入力端子２の後段又は出力端子３の前段の部品を収容する機能を有するため、入力端子２又は出力端子３に近接して配置することが好ましい。突出部１５を小型化することに形成された領域はベースプレート１１の平坦面１１ａが延長して形成され、フィルタ部品２４，２５とは異なる部品がベースプレート１１の平坦面１１ａ上に取り付けられる。延長されたベースプレート１１の平坦面１１ａの裏面にもフィン１４が形成されて、ベースプレート１１の裏面側の冷却が行われる。この場合、図７に示すように、フィン１４の延在方向に突出部１５が設けられる場合もある。フィン１４の延在方向に突出部１５が設けられる場合、フィン１４に沿って移動する空気の一部が突出部１５により移動を遮られることになる。このような領域は、フィン１４と突出部１５とが干渉しない領域と比較して、空冷による冷却性能を十分に発揮できない可能性がある。したがって、フィン１４と突出部１５とが干渉する領域とは異なる領域、すなわち、フィン１４と突出部１５とが干渉しない領域にパワー部品２２のような発熱部品を載置することで、装置全体の放熱性を十分に確保できる。
【００４５】
図８は、第３変形例に係る電源装置１Ｃの底面図である。電源装置１Ｃは、突出部１５が小型化されている点は電源装置１Ｂと同様であるが、突出部１６が設けられていない点及びフィン１４の延在方向が電源装置１Ｂと相違する。
【００４６】
電源装置１Ｃでは、フィン１４が筐体１０の側壁１２のうち長辺側の側壁と平行となるように設けられる。したがって、外部の送風器等の冷却手段によって送風される空気は、筐体１０の長手方向に沿って移動する。このように、フィン１４の延在方向は特に限定されず、適宜変更することができる。また、電源装置１Ｃのようにフィン１４の延在方向を変更した場合でも、フィン１４と突出部１５とが干渉しない領域にパワー部品２２のような発熱部品を載置することで、装置全体の放熱性を十分に確保できる。
【００４７】
以上、本発明の一実施形態の電源装置について説明したが、本発明は、上記実施形態の態様に限定されない。
【００４８】
例えば、上記実施形態では、筐体１０内に１枚の回路基板（主回路基板２０）のみが収容される場合について説明したが、電源装置１には複数の回路基板が含まれていてもよい。その場合、パワー部品２２は、複数の回路基板の何れかに接続されていればよい。また、上記実施形態では、パワー部品２２は、主回路基板２０上に搭載されている場合について説明したが、主回路基板２０上に取り付けられていない構成であってもよい。
【００４９】
また、上記実施形態では、少なくとも入力端子２側に突出部１５が設けられ、入力端子２側のフィルタ部品２４が突出部１５に対して収容された構成について説明したが、出力端子３側のみに突出部１６を設け、出力端子３側のフィルタ部品２５が突出部１６に対して収容される構成としてもよい。入力端子２側及び出力端子３側の少なくとも一方に突出部が設けられ、一方側のフィルタ部品が収容される構成とした場合でも、ノイズの影響を低減することができる。したがって、搭載される電子部品からの放熱、電源装置内で発生するノイズの影響の低減、及び、装置の小型化を実現可能な電源装置が得られる。
【００５０】
さらに、上記実施形態では、フィルタ部品２４の大部分が突出部１５に対して収容された構成について説明したが、フィルタ部品２４の少なくとも一部が突出部１５に対して収容されていれば、ノイズの影響の低減、及び、装置の小型化を実現可能な電源装置が得られる。
【符号の説明】
【００５１】
１，１Ａ〜１Ｃ…電源装置、１０…筐体、１１…ベースプレート、１１ａ…平坦面、１２…側壁、１４…フィン、１５，１６…突出部、２０…主回路基板、２２…パワー部品、２４，２５…フィルタ部品。
【図１】
0006607053.tif 000002
【図２】
0006607053.tif 000003
【図３】
0006607053.tif 000004
【図４】
0006607053.tif 000005
【図５】
0006607053.tif 000006
【図６】
0006607053.tif 000007
【図７】
0006607053.tif 000008
【図８】
0006607053.tif 000009